(57)【要約】      （修正有）【課題】アルコール検知器の正常動作を確認する。【解決手段】アルコールガス格納部１０１と、不活性ガス格納部１０３と、アルコールガス格納部のガスを外部に導出するための第１の経路１０５と、不活性ガス格納部のガスを外部に導出するための第２の経路１０７と、第１の経路の端部に形成された第１のガス放出部１０９と、第２の経路の端部に形成された第２のガス放出部１１１と、アルコール検知器１３１、１３３を裁置する、アルコール検知器裁置部１１３、１１５と、第１のガス放出部とアルコール検出器裁置部に裁置されたアルコール検出器の距離を第１の所定の距離に保持して第１のガス放出部を固定する第１のガス放出部固定部１１７と、第２のガス放出部とアルコール検出器裁置部に裁置されたアルコール検出器の距離を第２の所定の距離に保持して第２のガス放出部を固定する第２のガス放出部固定部１１９とを備える、アルコール検知器の動作確認装置。【選択図】図１
2013053945.tif 000002
【特許請求の範囲】
【請求項１】
所定のアルコール濃度を有するガスを格納する、アルコールガス格納部（１０１）と、
アルコールを含まない不活性ガスを格納する、不活性ガス格納部（１０３）と、
前記アルコールガス格納部のガスを外部に導出するための第１の案内経路（１０５）と、
前記不活性ガス格納部のガスを外部に導出するための第２の案内経路（１０７）と、
前記第１の案内経路の端部に形成された第１のガス放出部（１０９）と、
前記第２の案内経路の端部に形成された第２のガス放出部（１１１）と、
アルコール検知器を裁置する、アルコール検知器裁置部（１１３，１１５）と、
前記第１のガス放出部と、前記アルコール検出器裁置部に裁置されたアルコール検出器の距離を、第１の所定の距離（ｘ）に保持した状態で、前記第１のガス放出部を固定する、第１のガス放出部固定部（１１７）と、
前記第２のガス放出部と、前記アルコール検出器裁置部に裁置されたアルコール検出器の距離を、第２の所定の距離（ｙ）に保持した状態で、前記第２のガス放出部を固定する、第２のガス放出部固定部（１１９）と、
を備える、
アルコール検知器の動作確認装置。
【請求項２】
前記第１の所定の距離（ｘ）が、前記アルコールガスの噴霧によって、前記アルコール検出器のアルコールセンサ表面の組成が化学変化をおこしてセンサの抵抗値が変化しない程度の離れた距離であり、かつ、記アルコール検出器のセンサによってアルコールの存在が検出される程度の近い距離であること、の双方の条件を満足する距離であり、
前記第２の所定の距離（ｙ）が、前記アルコール検出器のセンサの検知可能風量より強い風量を確保できるだけの近い距離である、
請求項１に記載のアルコール検知器の動作確認装置。
【請求項３】
前記不活性ガスが、非飲酒時の、人の呼気成分に含有される気体を有した噴霧ガスであり、前記アルコールガスが、飲酒時の、人の呼気成分に含有される気体を有した噴霧ガスである、
請求項１又は２のいずれかに記載のアルコール検知器の動作確認装置。
【請求項４】
前記第１のガス放出部が前記第１のガス放出部固定部から着脱可能であり、且つ、前記第２のガス放出部が前記第２のガス放出部固定部から着脱可能であり、それにより、前記アルコール検知器裁置部（１１３，１１５）に裁置することが困難な形状のアルコール検知器に対しても、前記アルコールガス及び前記不活性ガスを噴霧可能である、
請求項１から３のいずれかに記載のアルコール検知器の動作確認装置。
【発明の詳細な説明】
【技術分野】
【０００１】
本願発明の実施例は、例えば、アルコール検知器動作確認装置に関する。
【背景技術】
【０００２】
特許文献１では、ガス検出装置の検査用のアルコールガス放出器が開示されている。
【先行技術文献】
【特許文献】
【０００３】
【特許文献１】特開２０１０−６９４１１号公報
【発明の概要】
【発明が解決しようとする課題】
【０００４】
運転者による酒気帯び運転を無くす等の目的で、２０１１年５月から、国土交通省により、自動車運送事業者に対して、アルコール検知器の使用が義務付けられた（旅客自動車運送事業運輸規則（昭和31年運輸省令第44号）及び貨物自動車運送事業輸送安全規則（平成2年運輸省令第22号）、以下「法令」と略称。）。
【０００５】
本願出願人と同一出願人による、特願２０１１−０２７４１３号に記載されるような、アルコール検知器が、その用に供されているが、上記法令によれば、自動車運送事業者は、上記アルコール検知器が正常に動作するか否かを検査する義務も負う。
【０００６】
つまり、
（ａ）運転者の呼気中にアルコールが含まれている場合に、アルコール検知器がアルコールの存在を検知し、
（ｂ）運転者の呼気中にアルコールが含まれていない場合に、アルコール検知器がアルコールの存在を検知しない、
ことをチェックしなければならない。
【０００７】
上記特許文献１の発明を利用して、当該アルコールガス放出器からのアルコールガスを、上記アルコール検知器に印加すれば、理論的には、上記（ａ）の、「アルコール検知器がアルコールの存在を検知する」ことは確認できると予想される。
【０００８】
しかし、法令によれば、上記（ｂ）、即ち、運転者の呼気中にアルコールが含まれていない場合に、アルコール検知器がアルコールの存在を検知しない、ことをも重ねてチェックしなければならない。
【０００９】
つまり、
（ａ）運転者の呼気中にアルコールが含まれている場合に、アルコール検知器がアルコールの存在を検知し、且つ、
（ｂ）運転者の呼気中にアルコールが含まれていない場合に、アルコール検知器がアルコールの存在を検知しない、
ことの双方をチェックしなければならない、
ということが本願発明実施例の解決課題である。
【００１０】
特許文献１には、このような解決課題も、また、当該課題を解決するための示唆も示されていない。
【課題を解決するための手段】
【００１１】
上記課題を解決するために、本出願は、以下の各発明を提供する。
［発明１］
所定のアルコール濃度を有するガスを格納する、アルコールガス格納部（１０１）と、
アルコールを含まない不活性ガスを格納する、不活性ガス格納部（１０３）と、
前記アルコールガス格納部のガスを外部に導出するための第１の案内経路（１０５）と、
前記不活性ガス格納部のガスを外部に導出するための第２の案内経路（１０７）と、
前記第１の案内経路の端部に形成された第１のガス放出部（１０９）と、
前記第２の案内経路の端部に形成された第２のガス放出部（１１１）と、
アルコール検知器を裁置する、アルコール検知器裁置部（１１３，１１５）と、
前記第１のガス放出部と、前記アルコール検出器裁置部に裁置されたアルコール検出器の距離を、第１の所定の距離（ｘ）に保持した状態で、前記第１のガス放出部を固定する、第１のガス放出部固定部（１１７）と、
前記第２のガス放出部と、前記アルコール検出器裁置部に裁置されたアルコール検出器の距離を、第２の所定の距離（ｙ）に保持した状態で、前記第２のガス放出部を固定する、第２のガス放出部固定部（１１９）と、
を備える、
アルコール検知器の動作確認装置。
【００１２】
このように構成することによって、（ａ）運転者の呼気中にアルコールが含まれている場合に、アルコール検知器がアルコールの存在を検知し、且つ、（ｂ）運転者の呼気中にアルコールが含まれていない場合に、アルコール検知器がアルコールの存在を検知しない、ことの双方をチェックすることが可能となる。
［発明２］
前記第１の所定の距離（ｘ）が、前記アルコールガスの噴霧によって、前記アルコール検出器のアルコールセンサ表面の組成が化学変化をおこしてセンサの抵抗値が変化しない程度の離れた距離であり、かつ、記アルコール検出器のセンサによってアルコールの存在が検出される程度の近い距離であること、の双方の条件を満足する距離であり、
前記第２の所定の距離が、前記アルコール検出器のセンサの検知可能風量より強い風量を確保できるだけの近い距離である、
発明１に記載のアルコール検知器の動作確認装置。
【００１３】
このように構成することによって、アルコール検出器のアルコールセンサ表面の組成が化学変化をおこしてセンサの抵抗値が変化しないこと、及び、不活性ガスの吹き付けが、アルコールセンサの検知限の風量より大きいことを保証しつつ、アルコール検出器のチェックを行うことが可能となる。
【００１４】
［発明３］
前記不活性ガスが、非飲酒時の、人の呼気成分に含有される気体を有した噴霧ガスであり、前記アルコールガスが、飲酒時の、人の呼気成分に含有される気体を有した噴霧ガスである、
発明１又は２のいずれかに記載のアルコール検知器の動作確認装置。
【００１５】
このように構成することによって、アルコール検知器の通常の使用状態（人の呼気を用いて測定）に近い測定条件でのチェックが可能となる。
［発明４］
前記第１のガス放出部が前記第１のガス放出部固定部から着脱可能であり、且つ、前記第２のガス放出部が前記第２のガス放出部固定部から着脱可能であり、それにより、前記アルコール検知器裁置部（１１３，１１５）に裁置することが困難な形状のアルコール検知器に対しても、前記アルコールガス及び前記不活性ガスを噴霧可能である、
発明１から３のいずれかに記載のアルコール検知器の動作確認装置。
【００１６】
このように構成することによって、アルコール検知器裁置部（１１３，１１５）に裁置することが困難な形状のアルコール検知器に対しても、前記アルコールガス及び前記不活性ガスを噴霧可能となる。
【００１７】
なお、本願出願時の明細書の記載を基礎として、特許請求の範囲の記載が補正され得ることは勿論であるが、その際に、以下の各「発明」の内容を訂正することは予定しない（以下の各「発明」は、本願明細書における開示の要点としての意味を持つ）。
【００１８】
審査中の手続補正によって、及び、特許後の訂正審判又は訂正請求において、法的な制限の範囲内で、本発明は、以上の種々の態様に訂正され得る。
【００１９】
なお、特許後の訂正審判又は訂正請求における「実質上特許請求の範囲を変更」の判断は、特許時の請求項に新たな構成要素が追加されたか否か（即ち、いわゆる外的付加が為されたか否か）、又は、特許時の請求項の１つ又はそれより多いいずれかの構成要素を更に限定するものか（即ち、いわゆる内的付加が為されたか）によって判断されるべきでなく、訂正の前後の請求項に係る発明の効果が類似するか否かの観点から為されるべきである。
【発明の効果】
【００２０】
本願発明の実施例により、
（ａ）運転者の呼気中にアルコールが含まれている場合に、アルコール検知器がアルコールの存在を検知し、且つ、
（ｂ）運転者の呼気中にアルコールが含まれていない場合に、アルコール検知器がアルコールの存在を検知しない、
ことの双方をチェックすることが可能となる。
【図面の簡単な説明】
【００２１】
【図１】本発明の実施例の外観図である。
【発明を実施するための形態】
【００２２】
本明細書は、多数の特定のものを含むが、これらは、特許請求される又は特許請求されることができる範囲に対する制限として解釈されるべきではなく、特定の実施形態に特有の特徴の説明として解釈されるべきである。別個の実施形態の内容において、本明細書に説明される特定の特徴は、さらに、単一の実施形態において組み合わせて実施することができる。対照的に、単一の実施形態の内容において説明される種々の特徴は、さらに、多数の実施形態において、又はあらゆる好適な小結合において実施することができる。さらに、特徴は、特定の組み合わせにおいて作用するように上述され、さらに最初に、そのように特許請求されることがあるが、特許請求される組み合わせからの１つ又はそれ以上の特徴は、幾つかの場合においては、その組み合わせから実行されることができ、特許請求される組み合わせは、小結合又は様々な小結合に向けられることができる。
【００２３】
以下の実施の形態は、単に、本発明の一例であり、特許請求の範囲に記載される発明の技術的範囲を限定するものではない。
図１は本発明のアルコール検知器の動作確認装置の実施例の外観図である。
【００２４】
基台120の上に、格納容器100が設置される。この格納容器100の内部には、アルコールガス格納部101及び不活性ガス格納部103が収納される。
アルコールガス格納部101からは、格納されたアルコールガスを外部に導く第１の案内経路105が延び、不活性ガス格納部103からは、格納された不活性ガス（窒素等）を外部に導く第２の案内経路107が延びる。
【００２５】
第１の案内経路105の端部には、第１のガス放出部109が形成され、第２の案内経路107の端部には第２のガス放出部111が形成される。
基台102には、アルコール検知器裁置部113及び115が設けられる。
【００２６】
第１のガス放出部109は、アルコール検知器裁置部113の上方向にｘだけの距離離れた位置に固定される。この固定部が、第１のガス放出部固定部117である。
第２のガス放出部111は、アルコール検知器裁置部115の上方向にｙだけの距離離れた位置に固定される。この固定部が、第２のガス放出部固定部119である。
【００２７】
アルコール検知器131、133には、アルコールガスセンサが内蔵されているが、このセンサが高濃度ガス、シリコン系ガス等にさらされると、濃度や条件によりセンサ表面の組成が化学変化をおこしセンサの抵抗値が変化してしまう。センサの抵抗値が変化すると、正確なガス測定に悪影響を与える。
【００２８】
一方、アルコール検出器のセンサによってアルコールの存在が検出される程度の近い距離である必要もある。
そこで、本発明の実施例では、第１のガス放出部109は、アルコール検知器裁置部113の上方向にｘだけの距離離れた位置に固定される。この距離ｘが、第１のガス放出部109からのアルコールガスの噴霧によって、アルコール検出器131のアルコールセンサ表面の組成が化学変化をおこしてセンサの抵抗値が変化しないと同時に、アルコール検出器のセンサによってアルコールの存在が検出される程度の近い程度の距離である。
【００２９】
また、多くのアルコール検知器は、人の呼気に対応する強度の風量を検知して初めて作動状態となるように設定されている。これは、飲酒した人が、自分の息を吹きかけずに、アルコール検知器を手で持って振り回して、外気を検知器に当てることによって、「アルコール非検知」の結果を導く、等の回避行為を防ぐためである。
【００３０】
そこで、本発明の実施例では、第２のガス放出部111は、アルコール検知器裁置部115の上方向にｙだけの距離離れた位置に固定される。
この距離ｙが、アルコール検出器133のセンサの検知可能風量より強い風量を確保できるだけの近い距離である。
【００３１】
なお、以上の実施の形態の変形例として、以下のような実施例も考えられる。
【実施例１】
【００３２】
不活性ガスが、非飲酒時の、人の呼気成分に含有される気体を有した噴霧ガスであり、アルコールガスが、飲酒時の、人の呼気成分に含有される気体を有した噴霧ガスであるもの。
【００３３】
このように構成することによって、アルコール検知器の通常の使用状態（人の呼気を用いて測定）に近い測定条件でのチェックが可能となる。
【実施例２】
【００３４】
第１のガス放出部109が第１のガス放出部固定部117から着脱可能であり、且つ、前記第２のガス放出部111が前記第２のガス放出部固定部119から着脱可能であり、それにより、アルコール検知器裁置部113、115に裁置することが困難な形状のアルコール検知器に対しても、前記アルコールガス及び前記不活性ガスを噴霧可能であるもの。
【００３５】
このように構成することによって、アルコール検知器裁置部（１１３，１１５）に裁置することが困難な形状のアルコール検知器に対しても、前記アルコールガス及び前記不活性ガスを噴霧可能となる。
【産業上の利用可能性】
【００３６】
本願発明の実施例は、例えば、アルコール検知器の動作確認装置として利用可能である。
【符号の説明】
【００３７】
１００  格納容器
１０１  アルコールガス格納部
１０３  不活性ガス格納部
１０５  第１の案内経路
１０７  第２の案内経路
１０９  第１のガス放出部
１１１  第２のガス放出部
１１３  、アルコール検知器裁置部
１１５  、アルコール検知器裁置部
１１７  第１のガス放出部固定部
１１９  第２のガス放出部固定部
１２０  基台
【図１】
2013053945.tif 000003